(57)【要約】【課題】  記録部、読取部、外部記憶媒体インタフェース、デジタルカメラ接続可インタフェースを持つ複合機において、ユーザは、パソコンを介して行なうデータ転送の手間をかけずに、デジタルカメラデータの印字、メモリカードなどへ転送することができる情報処理装置を提供することを目的とするものである。【解決手段】  電子データ記憶媒体を接続可能な第１インタフェース手段と、上記電子データ記憶媒体を接続可能な第２インタフェース手段と、電子データを保持することができるデータ記憶手段とを具備する情報処理装置であって、上記第１インタフェースを介してデジタルカメラ内のデータを、上記データ記憶手段に転送し、上記データ記憶手段内のデータを、上記情報処理装置から、上記第２インタフェースに接続されている上記電子データ記憶媒体に転送する操作手段を有する情報処理装置である。【選択図】  図１
2005064645.tif 000002
【特許請求の範囲】
【請求項１】
電子データ記憶媒体を接続可能な第１インタフェース手段と、上記電子データ記憶媒体を接続可能な第２インタフェース手段と、電子データを保持することができるデータ記憶手段とを具備する情報処理装置であって、
上記第１インタフェースを介してデジタルカメラ内のデータを、上記データ記憶手段に転送し、上記データ記憶手段内のデータを、上記情報処理装置から、上記第２インタフェースに接続されている上記電子データ記憶媒体に転送する操作手段を有することを特徴とする情報処理装置。
【請求項２】
電子データ記憶媒体を接続可能な第１インタフェース手段と、情報処理装置を動作させるに必要な入力が可能な操作手段と、電子データを保持することができるデータ記憶手段とを具備する情報処理装置であって、
上記第１インタフェースに接続されているデジタルカメラ内のデータを、上記データ記憶手段に転送し、上記データ記憶手段内のデータを、上記情報処理装置の記録部に転送し、記録を行う操作が可能な操作手段を有することを特徴とする情報処理装置。
【請求項３】
電子データ記憶媒体を接続可能な第１インタフェース手段と、ファクシミリ送受信を行う通信制御手段と、電子データを保持することができるデータ記憶手段とを具備する情報処理装置であって、
上記第１インタフェースに接続されている電子データ記憶媒体内のデータを、上記データ記憶手段に転送し、上記データ記憶手段内のデータを通信手段によって画像送信が可能な操作手段を有することを特徴とする情報処理装置。
【請求項４】
電子データ記憶媒体を接続可能な第１インタフェース手段と、情報処理装置を動作させるに必要な入力が可能な操作手段と、原稿を読取ることができる読取手段とを具備する情報処理装置であって、
上記読取手段で読取られたデータを、上記第１インタフェースに接続された電子データ記憶媒体に転送する操作が可能な操作手段を有することを特徴とする情報処理装置。
【請求項５】
メモリカードが接続可能な第１インタフェース手段と、メモリカードが接続可能な第２インタフェース手段と、電子データを保持することができるデータ記憶手段とを具備する情報処理装置であって、
上記第１インタフェースに接続されているメモリカード内のデータを、上記データ記憶手段に転送し、上記データ記憶手段内のデータを、上記情報処理装置から上記第２インタフェースに接続されているメモリカードに転送することができる操作手段を有することを特徴とする情報処理装置。
【請求項６】
請求項１〜請求項５のいずれか１項において、
画像の状況のための付加情報として持つタグ情報を、上記操作部で検索条件として指定することによって、タグ情報を用い、上記第１インタフェースに接続されている画像記憶媒体から指定されたタグ情報を持つ画像を検索し、この検索された画像を、上記第１インタフェースに接続された画像記憶媒体から、上記情報処理装置のデータ記憶手段に転送することを特徴とする情報処理装置。
【請求項７】
請求項６において、
上記タグ情報によって検索したときに、指定したタグ情報を持つ画像が存在しない場合、上記タグ情報を再入力させる手段を有することを特徴とする情報処理装置。
【請求項８】
請求項５において、
上記操作手段は、画像読取部からのデータを、上記第１インタフェースに接続された画像記憶媒体に転送する操作が可能なキーを有する手段であることを特徴とする情報処理装置。
【請求項９】
請求項1〜請求項３のいずれか１項において、
上記第１インタフェース手段で接続される電子データ記憶媒体は、デジタルカメラであることを特徴とする情報処理装置
【請求項１０】
請求項1〜請求項３のいずれか１項において、
上記第１インタフェース手段で接続される電子データ記憶媒体は、画像の撮影や保存が可能な携帯電話であることを特徴とする情報処理装置
【請求項１１】
請求項１または請求項５において、
上記第２インタフェース手段に接続される電子データ記憶媒体は、メモリカードであることを特徴とする画像処理装置。
【請求項１２】
請求項４または請求項５において、
上記第１インタフェース手段で接続される電子データ記憶媒体は、メモリカードであることを特徴とする情報処理装置。
【請求項１３】
電子データ記憶媒体を接続可能な第１インタフェース手段と、上記電子データ記憶媒体を接続可能な第２インタフェース手段と、電子データを保持することができるデータ記憶手段とを具備する情報処理装置の制御方法であって、
上記第１インタフェースを介してデジタルカメラ内のデータを、上記データ記憶手段に転送し、上記データ記憶手段内のデータを、上記情報処理装置から、上記第２インタフェースに接続されている上記電子データ記憶媒体に転送することを特徴とする情報処理装置の制御方法。
【請求項１４】
電子データ記憶媒体を接続可能な第１インタフェース手段と、情報処理装置を動作させるに必要な入力が可能な操作手段と、電子データを保持することができるデータ記憶手段とを具備する情報処理装置の制御方法であって、
上記第１インタフェースに接続されているデジタルカメラ内のデータを、上記データ記憶手段に転送し、上記データ記憶手段内のデータを、上記情報処理装置の記録部に転送し、記録することを特徴とする情報処理装置の制御方法。
【請求項１５】
電子データ記憶媒体を接続可能な第１インタフェース手段と、ファクシミリ送受信を行う通信制御手段と、電子データを保持することができるデータ記憶手段とを具備する情報処理装置の制御方法であって、
上記第１インタフェースに接続されている電子データ記憶媒体内のデータを、上記データ記憶手段に転送し、上記データ記憶手段内のデータを通信手段によって画像送信することを特徴とする情報処理装置の制御方法。
【請求項１６】
電子データ記憶媒体を接続可能な第１インタフェース手段と、情報処理装置を動作させるに必要な入力が可能な操作手段と、原稿を読取ることができる読取手段とを具備する情報処理装置の制御方法であって、
上記読取手段で読取られたデータを、上記第１インタフェースに接続された電子データ記憶媒体に転送することを特徴とする情報処理装置の制御方法。
【請求項１７】
メモリカードが接続可能な第１インタフェース手段と、メモリカードが接続可能な第２インタフェース手段と、電子データを保持することができるデータ記憶手段とを具備する情報処理装置の制御方法であって、
上記第１インタフェースに接続されているメモリカード内のデータを、上記データ記憶手段に転送し、上記データ記憶手段内のデータを、上記情報処理装置から上記第２インタフェースに接続されているメモリカードに転送することを特徴とする情報処理装置の制御方法。
【発明の詳細な説明】
【技術分野】
【０００１】
本発明は、情報処理装置およびその制御方法に関する。
【背景技術】
【０００２】
従来、デジタルカメラのデータをメモリカードに保存させる場合、パーソナルコンピュータ（以下「パソコン」という）を介して、デジタルカメラや情報処理装置から、画像データをパソコンに転送し、転送したデータを、パソコンに接続されているメモリカード等の外部記憶媒体に保存し、また、記録装置が印字する。また、デジタルカメラを記録装置に接続し、デジタルカメラにおける操作によって、デジタルカメラのデータを印字する装置が知られている。
【０００３】
このようにすると、デジタルカメラのデータやメモリカード内の画像データをパソコンに転送する作業、印字する作業等を、ユーザが実行する必要があり、画像データを印字するだけでも、複数の装置が必要になり、非常に煩雑であるという欠点がある。
【０００４】
この欠点を解消するために、デジタルカメラを直接記録装置に接続して印字したり（たとえば特許文献１参照）、記録装置にメモリカードを接続することによって、メモリカードのデータを印字する技術が知られている（たとえば特許文献２および３参照）。
【０００５】
この場合、記録装置側で操作することによって、デジタルカメラデータを記録部に転送し、記録部で記録するものが知られているが、この従来方法では、全ての処理を、１つのＣＰＵが実行しているので、制御に負担がかかるという問題がある。
【０００６】
また、画像情報の転送の際は、画像のファイル名や装置において割り振られた番号等を使用している。
【特許文献１】特開平１１−２９８８４２号公報
【特許文献２】特開２００２−０３６６８２号公報
【特許文献３】特開２００２−１１３９３０号公報
【発明の開示】
【発明が解決しようとする課題】
【０００７】
本発明は、記録部、読取部、外部記憶媒体インタフェース、デジタルカメラ接続可インタフェースを持つ複合機において、複合機の操作パネル上で複合機に接続されたデジタルカメラのデータを、印字や接続されたメモリカードへの転送などが可能な複合機の操作が可能になることによって、ユーザは、パソコンを介して、データ転送の手間をかけずに、デジタルカメラデータの印字、メモリカードなどへ転送することができる情報処理装置を提供することを目的とするものである。
【０００８】
また、記録部と装置とがＣＰＵを持つことによって、装置側のＣＰＵが、転送や画像変換処理動作を行い、記録部にデータを転送し、記録側のＣＰＵが、記録を行う構成にすることによって、情報処理装置にデジタルカメラデータを印字させる機能を付属する場合に、装置のＵＳＢホスト制御部にデジタルカメラ接続用のインタフェースをつけるだけで、デジタルカメラデータを外部記憶メモリのように扱うことが可能になり、また、操作も装置から行うことが可能になり、従来と比較して、デジタルカメラや外部画像データ記憶媒体との接続の追加が容易である情報処理装置を提供することを目的とする。
【０００９】
さらに、本発明は、設定から印字までの全ての操作を、デジタルカメラからでなく、装置からコピー同様に行うことができるので、ユーザビリティの向上が可能である情報処理装置を提供することを目的とする。
【００１０】
そして、本発明は、画像の検索のキーとして、デジタル画像が持つタグ情報を装置側で入力し、検索キーとして使用するので、画像のファイル名や割り振った番号を知るために、画像のインデックスプリントや画像表示などを行わなくても、日付情報やサイズの情報によって、ユーザが簡単に画像の検索指定を行うことができる情報処理装置を提供することを目的とするものである。
【課題を解決するための手段】
【００１１】
本発明は、電子データ記憶媒体を接続可能な第１インタフェース手段と、上記電子データ記憶媒体を接続可能な第２インタフェース手段と、電子データを保持することができるデータ記憶手段とを具備する情報処理装置であって、上記第１インタフェースを介してデジタルカメラ内のデータを、上記データ記憶手段に転送し、上記データ記憶手段内のデータを、上記情報処理装置から、上記第２インタフェースに接続されている上記電子データ記憶媒体に転送する操作手段を有する情報処理装置である。
【発明の効果】
【００１２】
本発明によれば、情報処理装置にデジタルカメラ、メモリカードを接続した場合に、デジタルカメラ内の画像データを情報処理装置に転送し、印字、ＦＡＸ、メモリカードへの書き込み動作や、メモリカード内画像を他方のメモリカードに転送し、情報処理装置が読取ったデータをメモリカードに保存することが、情報処理装置の操作部の操作のみで簡単に実現でき、従来の操作に比べ、ユーザが簡単にデジタルカメラやメモリカードのデータを印字することができる。
【００１３】
また、デジタルカメラやメモリカードなどから画像検索を行う時にデジタル画像の持つタグ情報を検索キーとして使用し、情報処理装置の操作部で転送動作と同様に入力するので，情報処理装置の操作のみによって、画像を転送、印字、コピー等することができる。
【発明を実施するための最良の形態】
【００１４】
発明を実施するための最良の形態は、以下の実施例である。
【実施例１】
【００１５】
図１は、本発明の実施例である画像処理システムを構成する情報処理装置１００の概略構成を示すブロック図である。
【００１６】
情報処理装置１００は、ＣＰＵ１と、ＲＯＭ２と、ＲＡＭ３と、画像メモリ４と、データ変換部５と、読取制御部６と、読取部７と、操作表示部８と、通信制御部９と、解像度変換処理部１０と、符号復号化処理部１１と、記録制御部１２と、ＵＳＢホスト制御部１３と、記録部１４と、パソコンＭＣＩＡ  Ｉ／Ｆ制御部１５とを有する。
【００１７】
また、情報処理装置１００は、メモリカード１６と、デジタルカメラ１７とに接続される。
【００１８】
ＣＰＵ１は、システム制御部であり、情報処理装置１００の全体を制御する。
【００１９】
ＲＯＭ２は、ＣＰＵ１が実行する制御プログラム、組み込みオペレーティングシステム（ＯＳ）プログラム等を格納する。上記実施例では、ＲＯＭ２に格納されている各制御プログラムは、ＲＯＭ２に格納されている組み込みＯＳの管理下で、スケジューリングやタスクスイッチ等のソフトウエア制御を行う。
【００２０】
ＲＡＭ３は、ＳＲＡＭ（ｓｔａｔｉｃ  ＲＡＭ）等で構成され、プログラム制御変数等を格納し、また、オペレータが登録した設定値や情報処理装置１００の管理データ等を格納し、各種ワーク用バッファ領域が設けられている。
【００２１】
画像メモリ４は、ＤＲＡＭ（ｄｙｎａｍｉｃ  ＲＡＭ）等で構成され、画像データを蓄積する。
【００２２】
データ変換部５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２３】
読取制御部６は、読取部７が、ＣＩＳイメージセンサ（密着型イメージセンサ）によって原稿を光学的に読取り、電気的な画像データに変換した画像信号を、図示しない画像処理制御部を介して、２値化処理や中間調処理等の各種画像処理を施し、高精細な画像データを出力する。なお、上記実施例では、読取制御部６は、原稿を搬送しながら読取りを行うシート読取制御方式と、原稿台にある原稿をスキャンするブック読取制御方式の両制御方式に対応している。
【００２４】
操作表示部８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、情報処理装置１００の動作状況、ステータス状況の表示等を行う表示部である。
【００２５】
通信制御部９は、ＭＯＤＥＭ（変復調装置）や、ＮＣＵ（網制御装置）等によって構成されている。上記実施例では、通信制御部９は、アナログの通信回線（ＰＳＴＮ）３１に接続され、Ｔ３０プロトコルでの通信制御、通信回線に対する発呼と着呼等の回線制御を行っている。
【００２６】
解像度変換処理部１０は、画像データのミリ−インチ解像度変換等の解像度変換制御を行う。なお、解像度変換部１０において、画像データの拡大縮小処理も可能である。
【００２７】
符号復号化処理部１１は、情報処理装置１００で扱う画像データ（ＭＨ、ＭＲ、ＭＭＲ、ＪＢＩＧ、ＪＰＥＧ等）を符号復号化処理し、また、拡大縮小処理を行う。
【００２８】
記録制御部１２は、印刷される画像データに対し、図示しない画像処理制御部を介して、スムージング処理や記録濃度補正処理、色補正等の各種画像処理を施し、高精細な画像データに変換し、ＵＳＢホスト制御部１３（後述）に出力する。また、記録制御部は、後述するＵＳＢホスト制御部１３を制御することによって、定期的に記録部１４の状態情報データを取得する役割も果たす。
【００２９】
ＵＳＢホスト制御部１３は、ＵＳＢ通信規格で定められたプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１４は、ＵＳＢ通信におけるホストの機能を有する。
【００３０】
記録部１４は、レーザビームプリンタ、インクジェットプリンタ等からなる印刷装置であり、カラー画像データ、または、モノクロ画像データを印刷部材に印刷する。ＵＳＢホスト制御部１３との間で、ＵＳＢ通信規格で定められたプロトコルで通信し、特に、記録部１４は、ファンクションの機能を有する。
【００３１】
パソコンＭＣＩＡ  Ｉ／Ｆ制御部１５は、パソコンＭＣＩＡ規格に準拠したパソコンカードのインタフェースであり、外部記憶媒体であるカードも、パソコンＭＣＩＡアダプタをつけることによって、メモリカードを装置に接続することができる。上記実施例では、パソコンＭＣＩＡ準拠のインタフェースを用いているが、外部記憶媒体を接続可能なインタフェースであれば、この限りでは無い。
【００３２】
メモリカード１６は、情報処理装置１００に、パソコンＭＣＩＡ準拠インタフェースで接続可能である外部記憶媒体である。デジタルカメラの記憶保持や、パソコンのデータ保存等に用いられている。
【００３３】
本実施例においては、パソコンＭＣＩＡ準拠インタフェースで接続されたメモリカードを用いているが、デジタルデータを記録するメモリカードが接続可能なインタフェース規格であれば、これに限られない。また、本実施例では、複数のメモリカードが挿入された場合も含まれる。
【００３４】
デジタルカメラ１７は、レンズを通して、被写体をカメラ内にデジタルデータとして保存が可能な画像取り込み装置である。デジタルカメラと情報処理装置との接続は、ＵＳＢホスト制御部１３とＵＳＢとによって接続されている。本実施例では、情報処理装置１００がホスト側であり、デジタルカメラ側がファンクション側である。ただし、接続の方法については、デジタルカメラ内の画像が装置側で検索、転送可能であれば、これに限られない。
【００３５】
本実施例においては、記録機能のＵＳＢ通信は、１対１の接続形態を用いる。
【００３６】
上記構成要素１〜６、８〜１５は、ＣＰＵ１が管理するＣＰＵバス２１を介して、相互に接続されている。
【００３７】
図２は、情報処理装置１００における操作部８の具体例を示す図である。
【００３８】
操作部８は、テンキー部５１と、ワンタッチ短縮ダイヤルキー部５２と、スタート／コピーキー５３と、ストップキー５４と、フックキー５５と、受信モード切替キー５６と、読取解像度切替キー５７と、セットキー５８と、モードキー５９と、リダイヤルキー６０と、短縮ダイヤル／検索キー６１と、ポーズキー６２と、回線使用中／メモリ蓄積中動作表示ランプ６３と、警告ランプ６４と、ＬＣＤディスプレイ６５と、原稿フィードレバー６６と、ワンタッチ短縮ダイヤルパネル６７と、トーンキー６８と、カメラ→カードキー６９と、カード→カードキー７０と、カメラ→プリントキー７１と、カメラ→ＦＡＸキー７２と、カード保存キー７３と、転送条件設定キー７４とを有する。
【００３９】
テンキー部５１は、電話番号、ファクシミリ番号や相手先名称等を登録したり、コピー部数やダイヤルをするときに使用するキー群である。ワンタッチ短縮ダイヤルキー部５２は、ワンタッチ短縮ダイヤル発呼を行うときに使用するキー群である。スタート／コピーキー５３は、ファクシミリ送信、コピーを開始するキーである。
【００４０】
ストップキー５４は、ファクシミリ送受信、コピーやその他のオペレーション操作を停止させるキーである。フックキー５５は、手動送信や通話等を行うときに使用するキーである。受信モード切替キー５６は、ファクシミリ／ＴＥＬモード、マニュアル受信モード、自動受信モードなどの受信モードを切り替えるキーである。
【００４１】
読取解像度切替キー５７は、ファクシミリ送信時、コピー時の読取解像度、記録解像度を切り替えるキーである。セットキー５８は、情報等を登録する際に、押すことによって設定を確定するキーである。モードキー５９は、押すことによって、装置のスタンバイ時を、コピーモード、ファックスモード、スキャナモードに切り替えるキーである。
【００４２】
リダイヤルキー６０は、押すことによって、最後にダイヤルした相手先へ再発呼するキーである。短縮ダイヤル／検索キー６１は、短縮ダイヤルに登録してある相手先電話番号や、ファクシミリ番号へ発呼したり、他のグループの相手先名称や番号を検索するキーである。ポーズキー６２は、ダイヤルするときや番号登録するときに、ポーズを挿入するキーである。
【００４３】
回線使用中／メモリ蓄積中動作表示ランプ６３は、回線使用時や受信文書がメモリに蓄積されているときに点灯するランプである。警告ランプ６４は、エラー発生時やインク、トナー、記録紙なし時に点灯するランプである。ＬＣＤディスプレイ６５は、メッセージやオペレーションプロンプト、各種情報を表示するディスプレイである。
【００４４】
原稿フィードレバー６６は、レバーを左にセットすると、自動原稿給紙になり、右にセットすると、手差し給紙になるレバーである。ワンタッチ短縮ダイヤルパネル６７は、開けるとファンクションキー部にアクセスすることができるパネルである。
【００４５】
トーンキー６８は、パルス回線使用時に、トーン発呼をしたいときに使用するキーである。カメラ→カードキー６９は、装置に接続されているデジタルカメラ１７のデータをメモリカード１６に転送するためのキーである。
【００４６】
カード→カードキー７０は、複数接続されているメモリカード１６で、一方のメモリカードから、他方のメモリカードへデータするためのキーである。カメラ→プリントキー７１は、接続されたデジタルカメラデータを装置に転送し、記録制御部１２で制御し、記録部１４で記録動作するキーである。
【００４７】
カメラ→ＦＡＸキー７２は、接続されたデジタルカメラ１７のデータを、通信制御部９を通してＦＡＸ通信をするためのキーである。カード保存キー７３は、接続されたメモリカード１６に読取制御部６が制御し、読取部７が読取ったデータを保存する動作のためのキーである。
【００４８】
転送条件設定キー７４は、画像転送のための条件を設定するキーである。このキー７４を押下することによって、デジタルカメラやメモリカードなどのデジタルデータを転送する際の条件を指定することができる。
【００４９】
なお、本実施例では、キーで動作を行わせているが、キーの動作と同等の動作ができる選択画面の選択肢を、上記キーの代わりに使用するようにしてもよい。
【００５０】
次に、情報処理装置１００に、デジタルカメラ１７とメモリカード１６とが接続され、操作部８のカメラ→カードキー６９が押下された場合における動作について説明する。
【００５１】
図３は、情報処理装置１００に、デジタルカメラ１７とメモリカード１６とが接続され、操作部８のカメラ→カードキー６９が押下された場合における動作を示すフローチャートである。
【００５２】
まず、ステップＳ３１では、操作部８のカメラ→カードキー６９が押下されたかどうかを判断する。転送キー３１９が押下されれば、ステップＳ３２で、デジタルカメラ１７からメモリカード１６へデータ転送される。押下されなければ、データ転送は行われない。ステップＳ３２では、デジタルカメラ１７とメモリカードとが接続されているかことを確認する。各々が接続確認されなければ、ステップＳ３６で、非接続時の処理に移行する。接続されていれば、ステップＳ３３で、転送処理を実行する。
【００５３】
ステップＳ３３の転送処理において、接続されたデジタルカメラ１７から情報処理装置１００へ転送をする。転送の詳細は、図４に後述する。次に、ステップＳ３４で、情報処理装置１００に転送された画像を、接続されているメモリカード１６に転送する。次にステップＳ３５でメモリカードにおいて、転送された画像データを保存する。
【００５４】
また、ステップＳ３２でデジタルカメラデータが接続されていない場合は、ステップＳ３６で接続されていないことを、表示部８で表示する。表示された後、ステップＳ３７では、カメラ→カードの転送を終了するかどうかを確認し、終了しないならば、ステップＳ３２で、接続確認を再び実行し、終了する場合は、終了する。
【００５５】
上記実施例によれば、操作部８のパネルの操作のみで、デジタルカメラ１７のデータを、装置に接続されたメモリカードに転送、保存することができ、デジタルカメラ１７のデータのバックアップが、装置のパネルで簡単に実行することができる。
【００５６】
上記実施例では、画像入力機器としてデジタルカメラ１７を使用しているが、デジタル画像を撮影、保存、転送ができる機器であれば、デジタルカメラ１７以外のものを使用するようにしてもよい。たとえば、デジタルカメラ付き携帯電話も、上記と同様である。また、情報処理装置１００にカメラ→カードキー６９を設けているが、設定ができる方法であればこの限りではない。
【００５７】
図４は、上記実施例において、デジタルカメラ１７から情報処理装置１００へ転送される場合に、日付情報によって、転送を実行する処理を示すフローチャートである。
【００５８】
まず、ステップＳ４１では、デジタルカメラ１７からの転送が行われる場合には、転送する条件が設定されているか判別する。転送する条件が設定されていれば、ステップＳ４３で、設定情報によってデジタルカメラ１７内データを検索する。転送する条件が設定されていなければ、ステップＳ４２で、転送する画像の日付設定を行う。日付設定を行う場合、操作パネル８で設定を行う。操作パネルでの日付設定の詳細は、図５に示す。日付設定を行えば、ステップＳ４３において、設定された日付情報に基づいて、デジタルカメラ内を検索する。ステップＳ４４では、設定された日付を持つ画像が検索できたら、ステップＳ４５で、検索された画像を情報処理装置１００に転送する。画像検索されなければ、ステップＳ４２において、転送する画像の日付を再び入力する。
【００５９】
上記方法によって、画像転送時の日付設定を行い、日付情報を持つ画像を情報処理装置１００に転送することができる。
【００６０】
本実施例では、画像のタグ情報の検索条件として、日付情報を用いているが、デジタルカメラの画像に付属するタグ情報であれば、この限りではない。また、転送元となる画像データ保存装置として、デジタルカメラを用いているが、画像を電子データとして保管できるものであれば、この限りではない。
【００６１】
図５は、上記実施例において、画像を転送する場合に日付情報を設定する動作を示すフローチャートである。
【００６２】
まず、ステップＳ５１において、日付設定する際に期間を設定するか、日付を設定するかを判別する。期間を設定しないなら、ステップＳ５５で、日付設定する。そして、日付を設定した後に、ステップＳ５６において日付設定するかどうかを判定し、日付設定するなら、ステップＳ５５で再び日付設定し、そうでなければ、日付設定を終了する。
【００６３】
期間設定する場合、まずステップＳ５２において、開始日時を設定させる。次に、ステップＳ５３では、終了日時を設定させる。その後、ステップＳ５４で、もう１つの期間を入力することを促し、別の期間設定させる場合には、ステップＳ５２で、期間設定をもう一度実行し、もう期間設定を行わない場合は、日時設定を終了する。
【００６４】
上記実施例では、日付をデータの範囲で括ったものの例として、期間を上げている。しかし、設定値の範囲で検索対象にする場合は、この限りではない。つまり、たとえば、ファイル名の数字の順列や、アルファベット順、語順、サイズ範囲等を、期間と同等に考えることができる。また、図４と同様に、画像のタグ情報として、日付情報を用いているが、画像に付帯するタグ情報であれば、この限りではない。
【００６５】
また、設定方法としても、図３、４に示す転送処理の処理の一環として行われる場合や、逆に、転送条件設定キー７４等による転送前の事前設定も含まれる。転送前の事前設定の詳細については、図６で説明する。
【００６６】
図６は、情報処理装置１００において、操作パネル８を介して転送条件を設定する動作を示すフローチャートである。
【００６７】
転送条件を設定する際に、上記実施例では、操作パネル上の転送条件設定キー７４を使用しているが、キーを用いない他の設定方法によって、転送条件を設定することができる。
【００６８】
まず、ステップＳ６１において、転送条件設定キーが押下されたかどうかを判別する。転送条件設定キーが押下されたら、ステップＳ６２において、転送する画像の日付を入力する。転送条件設定キーが押下されなければ、処理を行わない。ステップＳ６２の詳細、転送する画像の日付入力については、図５を使用して既に説明した。
【００６９】
以上の方法によって、転送条件としての日付入力を、転送前に実行することができる。本実施例では、転送条件として、日付情報を用いているが、デジタルカメラの画像に付属する情報であれば、日付情報以外の情報であって、デジタルカメラの画像に付属する情報を、転送条件として使用することができる。
【００７０】
以上の方法によって、デジタルカメラ１７の画像データを、情報処理装置１００に転送し、メモリカード１６に保存する。
【実施例２】
【００７１】
図７は、情報処理装置１００において、接続されているデジタルカメラ１７から、デジタルカメラ１７の画像データを印字させる動作を示すフローチャートである。
【００７２】
まず、ステップＳ７１において、カメラ→プリントキー７１が押下されたら、デジタルカメラデータのプリントの処理に入る。次に、ステップＳ７２において、デジタルカメラが接続されていることを確認する。デジタルカメラが接続されていなければ、処理は行わず、ステップＳ７６で、未接続処理を行う。デジタルカメラが接続されていれば、ステップＳ７３で、接続されたデジタルカメラから、画像を装置側へ転送する。この詳細な動作は、図４に示してある。転送が行われたら、ステップＳ７４で、転送された画像を記録部に転送する。そして、記録部は、ステップＳ７５で転送された画像を印字する。
【００７３】
未接続の場合、ステップＳ７６で、デジタルカメラが接続されていないことを表示部８に表示する。次に、ステップＳ７７で、印字操作を終了するかどうかの判断を、操作部８において、ユーザに促す。そして、終了しない場合は、再びステップＳ７２で、デジタルカメラが接続されているかどうかを再び判別し、終了させる場合は、操作が終了する。
【００７４】
上記実施例では、デジタルカメラ内のデータをプリントすることができる。
【００７５】
なお、本実施例では、画像入力機器として、デジタルカメラを使用しているが、デジタル画像を撮影、保存、転送ができる機器であれば、デジタルカメラ以外の機器を画像入力機器として使用してもよい。デジタルカメラ付き携帯電話も、上記と同様である。また、情報処理装置１００に、カメラ→プリントキー７１を設けているが、設定ができる方法であれば、この限りではない。
【実施例３】
【００７６】
次に、メモリカード１６が複数接続されている情報処理装置１００において、１つのメモリカード１６（第１のメモリカード）のデータを、他方のメモリカード１６（第２のメモリカード）に転送する操作について説明する。
【００７７】
図８は、カードからカードに、画像データを転送する動作を示すフローチャートである。
【００７８】
まずステップＳ８１において、カード→カードキー７０が押下を判別し、カード→カードキー７０が押下されたら、ステップＳ８２で、メモリカード１６が挿入されていることを確認する。メモリカード１６が挿入されていなければ、未接続の処理を、ステップＳ８６で実行する。メモリカード１６が挿入されていれば、ステップＳ８３で、接続された第１のメモリカードのデータを装置側へ転送する。この転送の詳細な動作は、図４に示してある。
【００７９】
次に、ステップＳ８４で、装置側に転送されたデータを、第２のメモリカードに転送する。転送が終わった後に、ステップＳ８５で転送されたデータを、第２のメモリカードに保存する。
【００８０】
未接続時は、ステップＳ８６で、メモリカード１６が接続されていないことを、表示部８に表示する。次に、ステップＳ８７で、印字操作を終了するかどうかの判断を、操作部８において、ユーザに促す。そして、終了しない場合は、ステップＳ８２においてメモリカードが接続されているかを、再び判別し、終了させる場合は、操作が終了する。
【００８１】
上記実施例によれば、メモリカード間におけるデータ転送が、メモリカードを挿入できる情報処理装置においてのみ、行うことができる。
【００８２】
なお、本実施例では、画像入力機器として、メモリカードを使用しているが、デジタル画像を撮影、保存、転送ができる画像データ記憶媒体を、画像入力機器として使用するようにしてもよい。
【００８３】
また、情報処理装置１００にカード→カードキー７０を設けているが、他の設定方法を、カード→カードキー７０の代わりに使用するようにしてもよい。
【実施例４】
【００８４】
次に、デジタルカメラ１７が接続されている装置１００において、接続されたデジタルカメラのデータを、ＦＡＸ送信する操作について説明する。
【００８５】
図９は、デジタルカメラデータをＦＡＸ送信する操作方法を示すフローチャートである。
【００８６】
まず、ステップＳ９１において、操作部８のカメラ→ＦＡＸキー７２を押下されたかどうかを判別する。カメラ→ＦＡＸキー７２が押下されたら、ステップＳ９２で、デジタルカメラ１７がつながっているかどうかを判別する。デジタルカメラ１７がつながっていなければ、ステップＳ９６で、未接続時の処理を行う。
【００８７】
デジタルカメラ１７がつながっていれば、ステップＳ９３で、ＦＡＸ送信先の電話番号を入力する。この際に、電話番号の入力方法は問わない。ＦＡＸ送信先の電話番号が入力されたら、ステップＳ９４で、接続されたデジタルカメラ１７から、ＦＡＸ送信画像を転送する。この送信動作の詳細な方法は、図４で、既に述べた。
【００８８】
情報処理装置１００にデータの転送がされたら、ステップＳ９５で、情報処理装置に転送された画像を、通信制御部９を通して、ＦＡＸ送信する。
【００８９】
未接続時の処理は、デジタルカメラ１７が接続されていないことを表示部８に表示する処理である。
【００９０】
次に、ステップＳ９６で、印字操作を終了するかどうかの判断を、操作部８において、ユーザに促す。印字捜査を終了しない場合、ステップＳ９２で、デジタルカメラ１７が接続されているかどうかの判別を再び行い、終了させる場合は、操作が終了する。
【００９１】
以上の方法によって、デジタルカメラ１７が接続された情報処理装置１００において、デジタルカメラデータをＦＡＸ送信する際の操作が簡単になる。
【００９２】
なお、本実施例では、画像入力機器として、デジタルカメラを使用しているが、デジタル画像を撮影、保存、転送ができる機器であれば、デジタルカメラ以外の機器を、画像入力機器として使用するようにしてもよい。デジタルカメラ付き携帯電話を、画像入力機器として使用するようにしてもよい。また、情報処理装置１００に、カメラ→ＦＡＸキー７２を設けているが、設定可能な方法であれば、他の方法を、カメラ→ＦＡＸキー７２の代わりに使用するようにしてもよい。
【実施例５】
【００９３】
次に、メモリカード１６が接続されている情報処理装置１００において、装置１００で読取った画像を、接続されたメモリカード１６に転送、保存する操作について示す。
【００９４】
図１０は、メモリカード１６が接続されている情報処理装置１００において、情報処理装置１００で読取った画像を、接続されたメモリカード１６に保存する動作を示すフローチャートである。
【００９５】
まず、ステップＳ１０１において、カード保存キー７３が押下されたかどうかを判別し、カード保存キー７３が押下されていたら、ステップＳ１０２で、メモリカード１６が接続されているかどうかを判別する。メモリカード１６が接続されていたら、ステップＳ１０３で、読取部７が画像を読取る。そして、ステップＳ１０４で読取った画像を、接続されているメモリカード１６に転送し、その後に、ステップＳ１０５で保存する。
【００９６】
未接続時の処理は、メモリカード１６が接続されていないことを表示部８に表示する処理である。次に、ステップＳ１０７で、印字操作を終了するかどうかの判断を、操作部８において、ユーザに促す。そして終了しない場合は、ステップＳ１０２で、メモリカード１６が接続されているかどうかを判断し、終了させる場合は、操作が終了する。
【００９７】
上記処理によって、情報処理装置１００において、読取画像を、接続されたメモリカード１６に保存することができる。
【００９８】
上記実施例において、ＵＳＢホスト制御部１３は、第１インタフェースの例であり、ＰＣＭＣＩＡ  Ｉ／Ｆ制御部１５は、第２インタフェースの例である。
【００９９】
また、上記実施例によれば、画像データを記録することができる記録手段、ファクシミリ送受信を行う通信制御手段等を持たせるので、第１インタフェースに接続されたデジタルカメラのデータを、印字、ＦＡＸ通信することができる。
【０１００】
さらに、上記実施例によれば、第１、２インタフェース手段のそれぞれに、メモリカードを接続すれば、メモリカード間でデータを転送することができる。
【０１０１】
そして、上記実施例によれば、画像検索するときに、検索キーとして画像のタグ情報を使用するので、情報入力するだけで、画像を検索することができる。
【図面の簡単な説明】
【０１０２】
【図１】本発明の実施例である画像処理システムを構成する情報処理装置１００の概略構成を示すブロック図である。
【図２】情報処理装置１００における操作部８の具体例を示す図である。
【図３】情報処理装置１００に、デジタルカメラ１７とメモリカード１６とが接続され、操作部８のカメラ→カードキー６９が押下された場合における動作を示すフローチャートである。
【図４】上記実施例において、デジタルカメラ１７から情報処理装置１００へ転送される場合に、日付情報によって、転送を実行する処理を示すフローチャートである。
【図５】上記実施例において、画像を転送する場合に日付情報を設定する動作を示すフローチャートである。
【図６】情報処理装置１００において、操作パネル８を介して転送条件を設定する動作を示すフローチャートである。
【図７】情報処理装置１００において、接続されているデジタルカメラ１７から、デジタルカメラ１７の画像データを印字させる動作を示すフローチャートである。
【図８】カードからカードに、画像データを転送する動作を示すフローチャートである。
【図９】デジタルカメラデータをＦＡＸ送信する操作方法を示すフローチャートである。
【図１０】メモリカード１６が接続されている情報処理装置１００において、情報処理装置１００で読取った画像を、接続されたメモリカード１６に保存する動作を示すフローチャートである。
【符号の説明】
【０１０３】
１００…情報処理装置、
１…ＣＰＵ、
２…ＲＯＭ、
３…ＲＡＭ、
４…画像メモリ、
５…データ変換部、
６…読取制御部、
７…読取部、
８…操作表示部、
９…通信制御部、
１０…解像度変換処理部、
１１…符号復号化処理部、
１２…記録制御部、
１３…ＵＳＢホスト制御部、
１４…記録部、
１５…ＰＣＭＣＩＡ  Ｉ／Ｆ制御部、
１６…メモリカード、
１７…デジタルカメラ。
【図１】
2005064645.tif 000003
【図２】
2005064645.tif 000004
【図３】
2005064645.tif 000005
【図４】
2005064645.tif 000006
【図５】
2005064645.tif 000007
【図６】
2005064645.tif 000008
【図７】
2005064645.tif 000009
【図８】
2005064645.tif 000010
【図９】
2005064645.tif 000011
【図１０】
2005064645.tif 000012